(57)【要約】【課題】不要輻射レベルのピーク値を軽減させることができる多灯式投写型映像表示装置及びそのための制御装置を提供する。【解決手段】本開示の多灯式投写型映像表示装置のための制御装置９０は、複数の光源４，５を駆動する光源駆動部２，３と、上記光源駆動部２，３を制御する装置制御部２２とを備えた多灯式投写型映像表示装置のための制御装置９０において、上記光源駆動部２，３は、上記複数の光源４，５をそれぞれ異なる周波数で駆動させる。【選択図】図１
2014003012.tif 000002
【特許請求の範囲】
【請求項１】
複数の光源を駆動する光源駆動部と、上記光源駆動部を制御する装置制御部とを備えた多灯式投写型映像表示装置のための制御装置において、
上記光源駆動部は、上記複数の光源をそれぞれ異なる周波数で駆動させることを特徴とする多灯式投写型映像表示装置のための制御装置。
【請求項２】
上記光源駆動部は、上記複数の光源それぞれに対応して設けられ、上記装置制御部は、上記複数の光源駆動部により上記複数の光源をそれぞれ異なる周波数で駆動させることを特徴とする請求項１記載の多灯式投写型映像表示装置のための制御装置。
【請求項３】
上記装置制御部は、光源駆動部が上記複数の光源に異なる複数の周波数の信号を出力するように制御すると共に、
上記複数の周波数の信号が上記複数の光源にそれぞれ入力されるように、上記光源駆動部からの出力を切り替える切替部を制御することを特徴とする請求項１記載の多灯式投写型映像表示装置のための制御装置。
【請求項４】
上記装置制御部は、上記複数の光源を駆動する周波数の差がそれぞれ所定値以上異なるように上記光源駆動部を制御することを特徴とする請求項１〜３のうちのいずれか一つに記載の多灯式投写型映像表示装置のための制御装置。
【請求項５】
上記光源駆動部は、上記複数の光源に異なる複数の周波数の信号を出力し、上記装置制御部は、上記複数の周波数の信号が上記複数の光源にそれぞれ入力されるように、上記光源駆動部からの出力信号を切り替える切替部を制御することを特徴とする請求項１記載の多灯式投写型映像表示装置のための制御装置。
【請求項６】
上記光源駆動部は、上記複数の光源を駆動する周波数の差がそれぞれ所定値以上異なるように駆動することを特徴とする請求項５記載の多灯式投写型映像表示装置のための制御装置。
【請求項７】
複数の光源と、
請求項１〜６のうちのいずれか一つに記載の多灯式投写型映像表示装置のための制御装置とを備えたことを特徴とする多灯式投写型映像表示装置。
【発明の詳細な説明】
【技術分野】
【０００１】
本開示は、複数の光源からの光を合成して投写する多灯式投写型映像表示装置及びそのための制御装置に関する。
【背景技術】
【０００２】
投写型映像表示装置（以下、単に「プロジェクタ」とも記載する）としては、液晶表示素子に光を透過させることにより映像を投写する液晶プロジェクタや、ＤＭＤ（Ｄｉｇｉｔａｌ  Ｍｉｃｒｏ−ｍｉｒｒｏｒ  Ｄｅｖｉｃｅ）素子などの反射型ミラーデバイス素子に光を反射させることにより映像を投写するＤＬＰ（Ｄｉｇｉｔａｌ  Ｌｉｇｈｔ  Ｐｒｏｃｅｓｓｉｎｇ）（テキサス・インスツルメンツの登録商標）プロジェクタなどがある。
【０００３】
これらのプロジェクタに使用される白色光源としては、高圧水銀ランプ、キセノンランプやメタルハイライドランプなどの高輝度の放電ランプが用いられている。
【０００４】
放電ランプを直流電源で駆動すると、アーク放電時に電子が陽極に衝突することにより、陽極の温度が陰極よりも高温度になってしまうためランプ寿命が短くなる。
【０００５】
そのため、電極対には所定の周波数の交流を印加することにより陽極と陰極とを周期的に切り替えて駆動することが好ましい。
【０００６】
また、高輝度化を達成するために、複数の光源からの光を合成して投写する多灯式プロジェクタが一般的に知られている（特許文献１参照）。
【先行技術文献】
【特許文献】
【０００７】
【特許文献１】特開２００９−２０４６４６号公報
【発明の概要】
【発明が解決しようとする課題】
【０００８】
特許文献１の２つの光源２１１，２２１は共に、ダウンコンバータ９１で降圧されているためスイッチング素子の動作周波数は同一となる。
【０００９】
そこで例えば、電源の動作周波数が１００ｋＨｚ±５％、光源２１１の不要輻射レベルのピーク値が２１ｄＢ、光源２２１の不要輻射レベルのピーク値が２０ｄＢとする。
【００１０】
すると、光源２１１の不要輻射特性２６と光源２２１の不要輻射特性２７とを合計した不要輻射特性２８は、周波数１００ｋＨｚ±５％近傍で重なり合って加算されるため、多灯式プロジェクタとしての不要輻射レベルのピーク値は、光源２１１と光源２２１との不要輻射レベルのピーク値を合計した４１ｄＢとなる。
【００１１】
即ち、多灯式プロジェクタとしての不要輻射レベルのピーク値は、個々の光源の不要輻射レベルのピーク値を上回った値となってしまう。
【００１２】
本開示の目的は以上の課題を解決し、不要輻射レベルのピーク値を軽減させることができる多灯式投写型映像表示装置及びそのための制御装置を提供することにある。
【課題を解決するための手段】
【００１３】
本開示に係る多灯式投写型映像表示装置のための制御装置は、
複数の光源を駆動する光源駆動部と、上記光源駆動部を制御する装置制御部とを備えた多灯式投写型映像表示装置のための制御装置において、
上記光源駆動部は、上記複数の光源をそれぞれ異なる周波数で駆動させることを特徴とする。
【発明の効果】
【００１４】
本開示に係る多灯式投写型映像表示装置及びそのための制御装置によれば、スイッチング素子から発生する不要輻射の不要輻射レベルのピーク値を軽減することが可能となる。
【図面の簡単な説明】
【００１５】
【図１】本開示の第１の実施形態に係る多灯式投写型映像表示装置１の構成を示すブロック図である。
【図２】図１の多灯式投写型映像表示装置１の光源駆動部２，３の各スイッチング電源回路１２，１８から発生する不要輻射の周波数特性を示すスペクトル図である。
【図３Ａ】図１のスイッチング電源回路１２の動作周波数と図１のスイッチング電源回路１８の動作周波数との差を第１の所定値に設定した場合であって、各スイッチング電源回路１２，１８から発生する不要輻射の合計の周波数特性を示すスペクトル図である。
【図３Ｂ】図１のスイッチング電源回路１２の動作周波数と図１のスイッチング電源回路１８の動作周波数との差を第２の所定値に設定した場合であって、各スイッチング電源回路１２，１８から発生する不要輻射の合計の周波数特性を示すスペクトル図である。
【図３Ｃ】図１のスイッチング電源回路１２の動作周波数と図１のスイッチング電源回路１８の動作周波数との差を第３の所定値に設定した場合であって、各スイッチング電源回路１２，１８から発生する不要輻射の合計の周波数特性を示すスペクトル図である。
【図４】本開示の第２の実施形態に係る多灯式投写型映像表示装置３５の構成を示すブロック図である。
【図５】図４の多灯式投写型映像表示装置３５の光源駆動部４１，４２，４３，４４の各スイッチング電源回路４７，５３，５９，６５から発生する不要輻射の周波数特性を示すスペクトル図である。
【図６Ａ】本開示の第３の実施形態に係る多灯式投写型映像表示装置１Ａの構成を示すブロック図である。
【図６Ｂ】図６Ａの切替部９３のスイッチングのタイミングを示すタイミングチャート図である。
【図６Ｃ】本開示の第３の実施形態の変形例に係る多灯式投写型映像表示装置３５Ａの構成を示すブロック図である。
【発明を実施するための形態】
【００１６】
以下、本開示に係る実施形態について図面を参照して説明する。なお、以下の各実施形態において、同様の構成要素については同一の符号を付して説明を省略する。
【００１７】
第１の実施形態．
図１は、本開示の第１の実施形態に係る多灯式投写型映像表示装置１の構成を示すブロック図である。図１の多灯式投写型映像表示装置１は、光源部としての反射板付き光源４，５を含む光源装置１００と、反射板付き光源４，５の点灯を制御する制御装置９０とを備えて構成される。また、制御装置９０は、反射板付き光源４を駆動する光源駆動部２と、反射板付き光源５を駆動する光源駆動部３と、光源駆動部２，３を制御する装置制御部２２とを備えて構成される。さらに、光源装置１００は、２つの反射板付き光源４，５と、映像を出力する反射型映像表示素子６と、反射板付き光源４，５からの出射光を反射型映像表示素子６に導くミラー７，８とを備えて構成される。
【００１８】
図１の光源駆動部２は、後述するスイッチング電源回路１２を構成するスイッチング素子のスイッチングを制御するランプ駆動制御部１０と、当該ランプ駆動制御部１０から出力されるスイッチングタイミング信号１１に応じて直流電圧ＤＣを所定の電圧に変換するスイッチング電源回路１２と、反射板付き光源４を交流駆動させるフルブリッジ回路１４とを備えて構成される。また、光源駆動部３は、後述するスイッチング電源回路１８を構成するスイッチング素子のスイッチングを制御するランプ駆動制御部１６と、当該ランプ駆動制御部１６から出力されるスイッチングタイミング信号１１に応じて直流電圧ＤＣを所定の電圧に変換するスイッチング電源回路１８と、反射板付き光源５を交流駆動させるフルブリッジ回路２０とを備えて構成される。ここで、各スイッチング電源回路１２，１８は、スイッチング素子と、整流回路としてコンデンサ、コイル及びダイオードとを含み、各フルブリッジ回路１４，２０は、４つのスイッチング素子が接続されたブリッジ回路として構成される。
【００１９】
図１において、反射板付き光源４，５からの出射光はそれぞれ、ミラー７，８により反射されて反射型映像表示素子６に導かれる。また、ミラー７，８により集光された反射板付き光源４，５からの光は、映像を出力する反射型映像表示素子６により反射され、投写レンズ９を介して拡大投写される。
【００２０】
装置制御部２２は、スイッチング電源回路１２の第１の動作周波数を設定するための制御信号２３を生成して、当該制御信号２３をランプ駆動制御部１０に出力する。また、図１の装置制御部２２は、スイッチング電源回路１８の第２の動作周波数を設定するための制御信号２４を生成して、当該制御信号２４をランプ駆動制御部１６に出力する。
【００２１】
ランプ駆動制御部１０は、装置制御部２２からの制御信号２３に基づいて、スイッチング電源回路１２を構成するスイッチング素子をオン／オフするためのスイッチングタイミング信号１１を生成して、当該スイッチングタイミング信号１１をスイッチング電源回路１２に出力する。また、ランプ駆動制御部１６は、装置制御部２２からの制御信号２４に基づいて、スイッチング電源回路１８を構成するスイッチング素子をオン／オフするためのスイッチングタイミング信号１７を生成して、当該スイッチングタイミング信号１７をスイッチング電源回路１８に出力する。ここで、装置制御部２２からの制御信号２３と制御信号２４とは同期してもよいし、同期しなくてもよい。
【００２２】
スイッチング電源回路１２は、ランプ駆動制御部１０から入力されるスイッチングタイミング信号１１に基づいて、入力される直流電圧ＤＣをスイッチングタイミング信号１１のデューティ比でオン／オフして交流電圧に変換した後整流して所定の直流電圧１３に変換し、当該直流電圧１３をフルブリッジ回路１４に出力する。また、スイッチング電源回路１８は、ランプ駆動制御部１６から入力されるスイッチングタイミング信号１７に基づいて、入力される直流電圧ＤＣをスイッチングタイミング信号１７のデューティ比でオン／オフして交流電圧に変換した後整流して所定の直流電圧１９に変換し、当該直流電圧１９をフルブリッジ回路２０に出力する。ここで、スイッチングタイミング信号１１，１７はそれぞれ、スイッチング電源回路１２，１８を構成するスイッチング素子をオン／オフするためのタイミング信号であって、当該タイミング信号に基づいて当該スイッチング素子を動作させ、当該スイッチング素子のオン／オフの時間の割合（デューティ比）に対応する所定の直流電圧に変換される。
【００２３】
フルブリッジ回路１４は、ランプ駆動制御部１０から入力されたフルブリッジ用タイミング信号１５を用いて当該フルブリッジ回路１４の互いに対向する一対のスイッチング素子と、他の一対のスイッチング素子とを交互にスイッチング制御することによって、スイッチング電源回路１２から入力された直流電圧１３を所定の周波数を有する交流信号に変換して、当該交流信号を反射板付き光源４に送信して反射板付き光源４を点灯させる。また、フルブリッジ回路２０は、ランプ駆動制御部１６から入力されたフルブリッジ用タイミング信号２１を用いて当該フルブリッジ回路２０の互いに対向する一対のスイッチング素子と、他の一対のスイッチング素子とを交互にスイッチング制御することによって、スイッチング電源回路１８から出力された直流電圧１９を所定の周波数を有する交流信号に変換して、当該交流信号を反射板付き光源５に送信して反射板付き光源５を点灯させる。
【００２４】
図２は、図１の多灯式投写型映像表示装置１の光源駆動部２，３の各スイッチング電源回路１２，１８から発生する不要輻射の周波数特性を示すスペクトル図である。図２において、２９はスイッチング電源回路１２から発生する不要輻射の周波数特性を示し、３０はスイッチング電源回路１８から発生する不要輻射の周波数特性を示し、３１は周波数特性２９と周波数特性３０の合計の不要輻射の周波数特性を示す。ここで、スイッチング電源回路１２の第１の動作周波数を１００ｋＨｚ±５％に設定し、スイッチング電源回路１８の第２の動作周波数を１０４ｋＨｚ±５％に設定した場合、周波数特性２９は１００ｋＨｚをピーク値とした±５％近傍の値でばらつき、周波数特性３０は１０４ｋＨｚをピーク値とした±５％近傍の値でばらつく。また、周波数特性２９の不要輻射レベルのピーク値は２１ｄＢとなり、周波数特性３０の不要輻射レベルのピーク値は２０ｄＢとなる。さらに、第１の動作周波数と第２の動作周波数との差が所定値以上となるので周波数特性２９のピークと周波数特性３０のピークとはずれる。従って、周波数特性２９と周波数特性３０との合計である周波数特性３１の不要輻射レベルのピーク値は周波数特性２９の不要輻射レベルのピーク値と同じ２１ｄＢ近傍の値となる。
【００２５】
上述したように、スイッチング電源回路１２から発生する不要輻射の不要輻射レベルがピークとなる周波数と、スイッチング電源回路１８から発生する不要輻射の不要輻射レベルがピークとなる周波数との差を所定値以上に設定したときに、各スイッチング電源回路１２，１８から発生する不要輻射の合計の不要輻射レベルのピーク値は、これらが同一周波数帯で重なり合って加算される不要輻射の不要輻射レベルのピーク値４１ｄＢよりも軽減する。これについて以下詳細に説明する。
【００２６】
図３Ａは、図１のスイッチング電源回路１２の動作周波数と図１のスイッチング電源回路１８の動作周波数との差を第１の所定値に設定した場合であって、各スイッチング電源回路１２，１８から発生する不要輻射の合計の周波数特性を示すスペクトル図である。図３Ａにおいて、スイッチング電源回路１２の動作周波数を１００ｋＨｚに設定し、第１の所定値を１００ｋＨｚ×０．２％＝０．２ｋＨｚに設定する。すなわち、スイッチング電源回路１８の動作周波数を１００．２ｋＨｚに設定する。ここで、Ｌ１はスイッチング電源回路１２から発生する不要輻射の周波数特性を示し、Ｌ２はスイッチング電源回路１８から発生する不要輻射の周波数特性を示し、Ｌ３は周波数特性Ｌ１と周波数特性Ｌ２の合計の不要輻射の周波数特性を示す。従って、周波数特性Ｌ３の不要輻射レベルのピーク値は周波数特性Ｌ１及び周波数特性Ｌ２の不要輻射レベルのピーク値よりも非常に大きい。
【００２７】
図３Ｂは、図１のスイッチング電源回路１２の動作周波数と図１のスイッチング電源回路１８の動作周波数との差を第２の所定値に設定した場合であって、各スイッチング電源回路１２，１８から発生する不要輻射の合計の周波数特性を示すスペクトル図である。図３Ｂにおいて、スイッチング電源回路１２の動作周波数を１００ｋＨｚに設定し、第２の所定値を１００ｋＨｚ×０．３％＝０．３ｋＨｚに設定する。すなわち、スイッチング電源回路１８の動作周波数を１００．３ｋＨｚに設定する。ここで、Ｌ１はスイッチング電源回路１２から発生する不要輻射の周波数特性を示し、Ｌ２はスイッチング電源回路１８から発生する不要輻射の周波数特性を示し、Ｌ３は周波数特性Ｌ１と周波数特性Ｌ２の合計の不要輻射の周波数特性を示す。従って、周波数特性Ｌ３の不要輻射レベルのピーク値は周波数特性Ｌ１及び周波数特性Ｌ２の不要輻射レベルのピーク値よりもわずかに大きい。
【００２８】
図３Ｃは、図１のスイッチング電源回路１２の動作周波数と図１のスイッチング電源回路１８の動作周波数との差を第３の所定値に設定した場合であって、各スイッチング電源回路１２，１８から発生する不要輻射の合計の周波数特性を示すスペクトル図である。図３Ｃにおいて、スイッチング電源回路１２の動作周波数を１００ｋＨｚに設定し、第３の所定値を１００ｋＨｚ×０．４％＝０．４ｋＨｚに設定する。すなわち、スイッチング電源回路１８の動作周波数を１００．４ｋＨｚに設定する。ここで、Ｌ１はスイッチング電源回路１２から発生する不要輻射の周波数特性を示し、Ｌ２はスイッチング電源回路１８から発生する不要輻射の周波数特性を示し、Ｌ３は周波数特性Ｌ１と周波数特性Ｌ２の合計の不要輻射の周波数特性を示す。従って、周波数特性Ｌ３の不要輻射レベルのピーク値は周波数特性Ｌ１及び周波数特性Ｌ２の不要輻射レベルのピーク値と同じである。
【００２９】
図３Ａ，図３Ｂ及び図３Ｃにおいて、各スイッチング素子から発生するすべての不要輻射の合計の不要輻射レベルのピーク値を最も低くするためには、スイッチング電源回路１２の動作周波数とスイッチング電源回路１８の動作周波数との差を第１の動作周波数の０．４％以上に設定することが望ましい。
【００３０】
以上の実施形態に係る多灯式投写型映像表示装置１及びそのための制御装置９０によれば、スイッチング電源回路１２から発生する不要輻射の不要輻射レベルがピークとなる周波数と、スイッチング電源回路１８から発生する不要輻射の不要輻射レベルがピークとなる周波数との差が所定値以上となるので、各スイッチング電源回路１２，１８から発生する不要輻射の合計の不要輻射レベルのピーク値をこれらが同一周波数帯で重なり合って加算する不要輻射の不要輻射レベルのピーク値４１ｄＢよりも軽減することが可能となる。
【００３１】
第２の実施形態．
第１の実施形態に係る多灯式投写型映像表示装置１においては、光源を２個備えた場合について説明したが、光源を３個以上備えることも可能である。その一例として、光源を４個備えた場合について以下に説明する。
【００３２】
図４は、本開示の第２の実施形態に係る多灯式投写型映像表示装置３５の構成を示すブロック図である。図４の多灯式投写型映像表示装置３５は、光源部としての反射板付き光源６９，７０，７１，７２を含む光源装置１００Ａと、反射板付き光源６９，７０，７１，７２の点灯を制御する制御装置９２とを備えて構成される。また、制御装置９２は、反射板付き光源６９を駆動する光源駆動部４１と、反射板付き光源７０を駆動する光源駆動部４２と、反射板付き光源７１を駆動する光源駆動部４３と、反射板付き光源７２を駆動する光源駆動部４４と、光源駆動部４１，４２，４３，４４を制御する装置制御部３６とを備えて構成される。さらに、光源装置１００Ａは、４つの反射板付き光源６９，７０，７１，７２と、映像を出力する反射型映像表示素子７７と、反射板付き光源６９，７０，７１，７２からの出射光を反射型映像表示素子７７にそれぞれ導くミラー７３，７４，７５，７６とを備えて構成される。
【００３３】
図４の光源駆動部４１は、後述するスイッチング電源回路４７を構成するスイッチング素子のスイッチングを制御するランプ駆動制御部４５と、当該ランプ駆動制御部４５から出力されるスイッチングタイミング信号４６に応じて直流電圧ＤＣを所定の電圧に変換するスイッチング電源回路４７と、光源６９を交流駆動させるフルブリッジ回路４９とを備えて構成される。また、光源駆動部４２は、後述するスイッチング電源回路５３を構成するスイッチング素子のスイッチングを制御するランプ駆動制御部５１と、当該ランプ駆動制御部５１から出力されるスイッチングタイミング信号５２に応じて直流電圧ＤＣを所定の電圧に変換するスイッチング電源回路５３と、光源７０を交流駆動させるフルブリッジ回路５５とを備えて構成される。さらに、光源駆動部４３は、後述するスイッチング電源回路５９を構成するスイッチング素子のスイッチングを制御するランプ駆動制御部５７と、当該ランプ駆動制御部５７から出力されるスイッチングタイミング信号５８に応じて直流電圧ＤＣを所定の電圧に変換するスイッチング電源回路５９と、光源７１を交流駆動させるフルブリッジ回路６１とを備えて構成される。またさらに、光源駆動部４４は、後述するスイッチング電源回路６５を構成するスイッチング素子のスイッチングを制御するランプ駆動制御部６３と、当該ランプ駆動制御部６３から出力されるスイッチングタイミング信号６４に応じて所定の電圧に変換するスイッチング電源回路６５と、光源７２を交流駆動させるフルブリッジ回路６７とを備えて構成される。ここで、各スイッチング電源回路４７，５３，５９，６５は、スイッチング素子と、整流回路としてコンデンサ、コイル及びダイオードとを含み、各フルブリッジ回路４９，５５，６１，６７は、４つのスイッチング素子が接続されたブリッジ回路として構成される。
【００３４】
図４において、反射板付き光源６９，７０，７１，７２からの出射光はそれぞれ、ミラー７３，７４，７５，７６により反射されて反射型映像表示素子７７に導かれる。また、ミラー７３，７４，７５，７６により集光された反射板付き光源６９，７０，７１，７２からの光は、映像を出力する反射型映像表示素子７７により反射され、投写レンズ７８を介して拡大投写される。
【００３５】
装置制御部３６は、スイッチング電源回路４７の動作周波数を設定するための制御信号３７を生成して、当該制御信号３７をランプ駆動制御部４５に出力する。また、ランプ駆動制御部４５は、装置制御部３６からの制御信号３７に基づいて、スイッチング電源回路４７を構成するスイッチング素子をオン／オフするためのスイッチングタイミング信号４６を生成して、当該スイッチングタイミング信号４６をスイッチング電源回路４７に出力する。さらに、スイッチング電源回路４７は、ランプ駆動制御部４５から入力されるスイッチングタイミング信号４６に基づいて、入力される直流電圧ＤＣをスイッチングタイミング信号４６のデューティ比でオン／オフして交流電圧に変換した後整流して所定の直流電圧４８に変換し、当該直流電圧４８をフルブリッジ回路４９に出力する。ここで、スイッチングタイミング信号４６は、スイッチング電源回路４７を構成するスイッチング素子をオン／オフするためのタイミング信号であって、当該タイミング信号に基づいて当該スイッチング素子を動作させ、当該スイッチング素子のオン／オフの時間の割合（デューティ比）に対応する所定の直流電圧に変換される。
【００３６】
フルブリッジ回路４９は、ランプ駆動制御部４５から入力されたフルブリッジ用タイミング信号５０を用いて当該フルブリッジ回路４９の互いに対向する一対のスイッチング素子と、他の一対のスイッチング素子とを交互にスイッチング制御することによって、スイッチング電源回路４７から入力された直流電圧４８を所定の周波数を有する交流信号に変換して、当該交流信号を反射板付き光源６９に送信して反射板付き光源６９を点灯させる。
【００３７】
また、各光源駆動部４２，４３，４４の動作は光源駆動部４１と同様である。詳細には、ランプ駆動制御部５１，５７，６３はそれぞれ、各スイッチング電源回路５３，５９，６５の動作周波数を設定するための制御信号３８，３９，４０に基づいて、後段の各スイッチング電源回路５３，５９，６５のスイッチング素子のデューティ比を決定するためのスイッチングタイミング信号５２，５８，６４を生成し、スイッチング電源回路５３，５９，６５はそれぞれ、スイッチングタイミング信号５２，５８，６４に基づいて、入力される直流電圧ＤＣを所定の直流電圧５４，６０，６６に変換し、フルブリッジ回路５５，６１，６７はそれぞれ、ランプ駆動制御部５１，５７，６３から入力されたフルブリッジ用タイミング信号５６，６２，６８を用いて直流電圧５４，６０，６６を所定の周波数を有する交流信号に変換して、当該交流信号を反射板付き光源７０，７１，７２に送信して反射板付き光源７０，７１，７２を点灯させる。なお、装置制御部３６からの制御信号３７，３８，３９，４０はそれぞれ同期してもよいし、同期しなくてもよい。
【００３８】
図５は、図４の多灯式投写型映像表示装置３５の光源駆動部４１，４２，４３，４４の各スイッチング電源回路４７，５３，５９，６５から発生する不要輻射の周波数特性を示すスペクトル図である。図５において、８１はスイッチング電源回路４７から発生する不要輻射の周波数特性を示し、８２はスイッチング電源回路５３から発生する不要輻射の周波数特性を示し、８３はスイッチング電源回路５９から発生する不要輻射の周波数特性を示し、８４はスイッチング電源回路６５から発生する不要輻射の周波数特性を示し、８５は周波数特性８１と周波数特性８２と周波数特性８３と周波数特性８４との合計の不要輻射の周波数特性を示す。
【００３９】
図５において、図４のスイッチング電源回路４７の動作周波数を１００ｋＨｚ±５％に設定し、図４のスイッチング電源回路５３の動作周波数を１０４ｋＨｚ±５％に設定し、図４のスイッチング電源回路５９の動作周波数を１０８ｋＨｚ±５％に設定し、図４のスイッチング電源回路６３の動作周波数を１１２ｋＨｚ±５％に設定した場合、周波数特性８１は１００ｋＨｚをピーク値とした±５％近傍の値でばらつき、周波数特性８２は１０４ｋＨｚをピーク値とした±５％近傍の値でばらつき、周波数特性８３は１０８ｋＨｚをピーク値とした±５％近傍の値でばらつき、周波数特性８４は１１２ｋＨｚをピーク値とした±５％近傍の値でばらつく。また、周波数特性８１のレベルのピークは２１ｄＢとなり、周波数特性８２のレベルのピーク値は２０ｄＢとなり、周波数特性８３のレベルのピークは２０ｄＢとなり、周波数特性８４のレベルのピークは２１ｄＢとなる。さらに、スイッチング電源回路４７の動作周波数とスイッチング電源回路５３の動作周波数との差と、スイッチング電源回路５３の動作周波数とスイッチング電源回路５９の動作周波数との差と、スイッチング電源回路５９の動作周波数とスイッチング電源回路６５の動作周波数との差とはそれぞれ所定値以上となるので各周波数特性８１，８２，８３，８４の周波数レベルのピーク値がずれる。従って、周波数特性８１と周波数特性８２と周波数特性８３と周波数特性８４との合計である周波数特性８５のピーク値は周波数特性８１及び８４のピーク値と同じ２１ｄＢ近傍の値となる。
【００４０】
上述したように、スイッチング電源回路４７から発生する不要輻射の不要輻射レベルがピークとなる周波数とスイッチング電源回路５３から発生する不要輻射の不要輻射レベルがピークとなる周波数との差、スイッチング電源回路５３から発生する不要輻射の不要輻射レベルがピークとなる周波数とスイッチング電源回路５９から発生する不要輻射の不要輻射レベルがピークとなる周波数との差、及びスイッチング電源回路５９から発生する不要輻射の不要輻射レベルがピークとなる周波数とスイッチング電源回路６５から発生する不要輻射の不要輻射レベルがピークとなる周波数との差がそれぞれ所定値以上に設定したときに、各スイッチング電源回路４７，５３，５９，６５から発生する不要輻射の合計の不要輻射レベルのピーク値は、これらが同一周波数帯で重なり合って加算される不要輻射の不要輻射レベルのピーク値８２Ｂよりも軽減する。すなわち、当該所定値をスイッチング電源回路４７の動作周波数の０．４％以上に設定することによって、これらの不要輻射の合計のレベルのピーク値を個々の不要輻射の不要輻射レベルのピーク値と同等とすることができる。
【００４１】
以上の実施形態に係る多灯式投写型映像表示装置３５及びそのための制御装置９２によれば、スイッチング電源回路４７，５３，５９，６５それぞれから発生する不要輻射の不要輻射レベルがピークとなる各周波数の間隔が所定値以上となるので、各スイッチング電源回路４７，５３，５９，６５から発生する不要輻射の合計の不要輻射レベルのピーク値をこれらが同一周波数帯で重なり合って加算する不要輻射の不要輻射レベルのピーク値よりも軽減することが可能となる。
【００４２】
第３の実施形態．
第１及び第２の実施形態においては、複数の光源の数に応じて複数の光源駆動部を設け、複数の光源駆動部をそれぞれ異なる周波数で同時に駆動させる構成としたが、本実施形態では、１つの光源駆動部９４により複数の光源４，５を順次異なる周波数で駆動させ、複数の光源４，５がそれぞれ異なる周波数で駆動するように切替部９３を設けたことを特徴とする。
【００４３】
図６Ａは、本開示の第３の実施形態に係る多灯式投写型映像表示装置１Ａの構成を示すブロック図である。図６Ａの多灯式投写型映像表示装置１Ａは、図１の多灯式投写型映像表示装置１と比較して、制御装置９０の代わりに制御装置９０Ａを備え、制御装置９０Ａの後段に、異なる周波数で光源４，５を駆動する１つの光源駆動部９４からの出力信号がそれぞれの光源に入力されるように切り替える切替手段である切替部９３を備えて構成されたことを特徴とする。また、制御装置９０Ａは、図１の制御装置９０に比較して、装置制御部２２の代わりに装置制御部２２Ａを備え、光源駆動部２，３の代わりに光源駆動部９４を備えて構成されたことを特徴とする。
【００４４】
図６Ａの装置制御部２２Ａは、図１の装置制御部２２と比較して、異なる周波数で光源４，５を駆動する１つの光源駆動部９４からの出力信号がそれぞれの光源に入力されるように切り替える切替手段である切替部９３をオンするための切替信号ＣＳをさらに発生し、当該切替信号ＣＳを切替部９３に出力することを特徴とする。ここで、反射板付き光源４を点灯させる場合は、装置制御部２２Ａは、光源駆動部９４により第１の周波数で光源４を駆動させる切替信号ＣＳを発生し、切替部９３を接点ａに切り替えると同時に光源駆動部９４に第１の実施形態に係る光源駆動部２と同一の動作をするように制御する。また、反射板付き光源５を点灯させる場合は、装置制御部２２Ａは、光源駆動部９４により第１の周波数とは異なる第２の周波数で光源５を駆動させる切替信号ＣＳを発生し、切替部９３を接点ｂに切り替えると同時に光源駆動部９４に第１の実施形態に係る光源駆動部３と同一の動作をするように制御する。すなわち、切替部９３は接点ａと接点ｂとを交互に切り替える。これについて以下に説明する。
【００４５】
図６Ｂは、図６Ａの切替部９３のスイッチングのタイミングを示すタイミングチャート図である。図６Ｂにおいて、切替部９３は、時刻ｔ１で接点ａに切り替え、時刻ｔ２で接点ｂに切り替える。次に、切替部９３は、時刻ｔ３で接点ａに切り替え、時刻ｔ４で接点ｂに切り替える。このスイッチング制御が順次繰り返される。ここで、接点ａに接続している時間期間Ｔａ（＝時刻ｔ２−時刻ｔ１）の間は反射板付き光源４が点灯し、接点ｂに接続している時間期間Ｔｂ（時刻ｔ３−時刻ｔ２）の間は反射板付き光源５が点灯する。ここで、切替部９３のスイッチングの１周期の時間期間Ｔは時間期間Ｔ＝時間期間Ｔａ＋時間期間Ｔｂとなる。なお、この１周期の時間Ｔは（１／１００ｋＨｚ）よりも十分に小さいように設定される。従って、反射板付き光源４と反射板付き光源５とは同時に点灯しているように見える。
【００４６】
以上の実施形態に係る多灯式投写型映像表示装置１Ａ及びそのための制御装置９０Ａによれば、第１の実施形態と同様の効果を得ることができる。
【００４７】
変形例１．
図６Ｃは、本開示の第３の実施形態の変形例に係る多灯式投写型映像表示装置３５Ａの構成を示すブロック図である。図６Ｃの多灯式投写型映像表示装置３５Ａは、図４の多灯式投写型映像表示装置３５と比較して、制御装置９２の代わりに制御装置９２Ａを備え、当該制御装置９２Ａの後段に、異なる周波数で光源６９，７０，７１，７２を駆動する１つの光源駆動部９４Ａからの出力がそれぞれの光源６９，７０，７１，７２に供給されるように切り替える切替手段である切替部９３Ａを備えて構成されたことを特徴とする。また、制御装置９２Ａは、図４の制御装置９２に比較して、装置制御部３６の代わりに装置制御部３６Ａを備え、光源駆動部９４の代わりに光源駆動部９４Ａを備えて構成されたことを特徴とする。
【００４８】
図６Ｃの装置制御部３６Ａは、図４の制御装置３６に比較して、異なる周波数で光源６９〜７２を駆動する１つの光源駆動部９４Ａからの出力信号がそれぞれの光源６９〜７２に入力されるようにする切替信号ＣＳを発生し、当該切替信号ＣＳを切替部９３Ａに出力することを特徴とする。ここで、反射板付き光源６９を点灯させる場合は、装置制御部３６Ａは、光源駆動部９４Ａにより第１の周波数で光源６９を駆動させる切替信号ＣＳを発生し、切替部９３Ａを接点ａに切り替えると同時に光源駆動部９４Ａに第２の実施形態に係る光源駆動部４１と同一の動作をするように制御する。また、反射板付き光源７０を点灯させる場合は、装置制御部３６Ａは、光源駆動部９４Ａにより第２の周波数で光源７０を駆動させる切替信号ＣＳを発生し、切替部９３を接点ｂに切り替えると同時に光源駆動部９４Ａに第２の実施形態に係る光源駆動部４２と同一の動作をするように制御する。さらに、反射板付き光源７１を点灯させる場合は、装置制御部３６Ａは、光源駆動部９４Ａにより第３の周波数で光源７１を駆動させる切替信号ＣＳを発生し、切替部９３を接点ｃに切り替えると同時に光源駆動部９４Ａに第２の実施形態に係る光源駆動部４３と同一の動作をするように制御する。またさらに、反射板付き光源７２を点灯させる場合は、装置制御部３６Ａは、光源駆動部９４Ａにより第４の周波数で光源７２を駆動させる切替信号ＣＳを発生し、切替部９３を接点ｄに切り替えると同時に光源駆動部９４Ａに第２の実施形態に係る光源駆動部４４と同一の動作をするように制御する。
【００４９】
上述したように、切替部９３Ａは、各接点ａ，ｂ，ｃ，ｄへの切り替えを順次繰り返す。例えば、切替部９３Ａによって４つの各光源６９，７０，７１，７２にそれぞれ１００ｋＨｚ，１０４ｋＨｚ，１０８ｋＨｚ，１１２ｋＨｚの周波数が順次供給されるように装置制御部３６Ａは光源駆動部９４Ａと切替部９３Ａとを制御する。ここで、切替部９３Ａのスイッチングの１周期の時間期間は各接点ａ，ｂ，ｃ，ｄに接続している時間期間の和であって、この１周期の時間期間は（１／１００ｋＨｚ）よりも十分に小さいように設定される。従って、反射板付き光源６９，７０，７１，７２は同時に点灯しているように見える。
【００５０】
以上の変形例に係る多灯式投写型映像表示装置３５Ａ及びそのための制御装置９２Ａによれば、第２の実施形態と同様の効果を得ることができる。
【００５１】
なお、上述した実施形態及び変形例では、２灯式もしくは４灯式の投写型映像表示装置について説明したが、これらに限定されるものではなく、映像投写時に複数の光源を点灯させる多灯式投写型映像表示装置であれば同様の作用効果を得ることができる。また、複数の光源をそれぞれ異なる周波数で駆動させるために、これらの駆動周波数がそれぞれ４ｋＨｚだけ異なる場合について説明したが、これに限定されるものではなく、それぞれの光源駆動部におけるスイッチング素子が発生する複数の不要輻射の不要輻射レベルのピーク値が重複しないように所定の周波数以上だけ異なるように設定しても同様の効果を得ることができる。
【００５２】
また、第３の実施形態及び変形例１では、装置制御部２２Ａ，３６Ａが、光源駆動部９４，９４Ａが異なる周波数で光源を駆動するように制御するとともに、切替部９３，９３Ａを同期させて制御したが、この構成に限定されるものではなく、例えば、光源駆動部９４，９４Ａが独自で異なる周波数で光源を駆動し、装置制御部２２Ａ，３６Ａが、光源駆動部９４，９４Ａが異なる周波数で光源を駆動するタイミングを検出するとともに、切替部９３，９３Ａを同期させて制御する構成にしてもよい。
【産業上の利用可能性】
【００５３】
本開示に係る多灯式投写型映像表示装置及びそのための制御装置によれば、スイッチング素子から発生する不要輻射の不要輻射レベルのピーク値を軽減することが可能となる。
【符号の説明】
【００５４】
１，３５，１Ａ，３５Ａ…多灯式投写型映像表示装置、
２，３，４１，４２，４３，４４，９４，９４Ａ…光源駆動部、
１００，１００Ａ…光学装置、
２２，２２Ａ，３６，３６Ａ…装置制御部、
１０，１６，４５，５１，５７，６３…ランプ駆動制御部、
１２，１８，４７，５３，５９，６５…スイッチング電源回路、
１４，２０，４９，５５，６１，６７…フルブリッジ回路、
４，５，６９，７０，７１，７２…反射板付き光源、
７，８，７３，７４，７５，７６…ミラー、
６，７７…反射型映像表示素子、
９，７８…放射レンズ、
９２，９２Ａ…制御装置、
９３，９３Ａ…切替部。
【図１】
2014003012.tif 000003
【図２】
2014003012.tif 000004
【図３Ａ】
2014003012.tif 000005
【図３Ｂ】
2014003012.tif 000006
【図３Ｃ】
2014003012.tif 000007
【図４】
2014003012.tif 000008
【図５】
2014003012.tif 000009
【図６Ａ】
2014003012.tif 000010
【図６Ｂ】
2014003012.tif 000011
【図６Ｃ】
2014003012.tif 000012